(57)【要約】  【課題】  洗浄開始前の水の汚れの影響を受けずに、汚れの段階を正確に判定することができる食器洗い機を提供する。  【解決手段】  洗浄槽２内の洗浄水の汚れの程度を検出する濁度センサ１０と、濁度センサ１０が検出した汚れの程度に対応する汚れの段階を判定する制御装置３０とを備え、洗浄槽２内に収容された食器２０の洗浄及びすすぎを行う食器洗い機において、洗浄開始前に濁度センサ１０が検出した汚れの程度を制御装置３０内のＲＡＭに記憶し、ＲＡＭに記憶した汚れの程度を基準にして、洗浄開始後に濁度センサ１０が検出した汚れの程度に対応する汚れの段階を制御装置３０内のＣＰＵで判定する。【選択図】      図１
2006075296.tif 000002
【特許請求の範囲】
【請求項１】
洗浄槽内の水の汚れに応じた検出値を出力する検出手段と、該検出手段が出力した検出値に対応する汚れの段階を判定する判定手段とを備え、洗浄槽内に収容された食器の洗浄及びすすぎを行う食器洗い機において、
洗浄開始前に前記検出手段が出力した検出値を記憶する記憶部を備え、
前記判定手段は、前記記憶部に記憶されている検出値を基準にして、洗浄開始後に前記検出手段が出力した検出値に対応する汚れの段階を判定するように構成してあることを特徴とする食器洗い機。
【請求項２】
前記検出手段は、
発光手段と、受光手段とを備え、
該受光手段の受光量に応じた検出値を出力するように構成してあることを特徴とする請求項１記載の食器洗い機。
【請求項３】
前記検出手段は、前記受光手段の受光量に応じた周波数のパルス信号を出力するパルス出力手段を備えており、
該パルス出力手段が出力したパルス信号の周波数を検出する周波数検出手段を備え、
該周波数検出手段が検出した周波数を検出値として用いるように構成してあることを特徴とする請求項２記載の食器洗い機。
【請求項４】
前記記憶部に記憶されている検出値と洗浄開始後に前記検出手段が出力した検出値との比を算出する算出手段を備え、
前記判定手段は、算出手段が算出した比に基づいて汚れの段階を判定するように構成してあることを特徴とする請求項１乃至３の何れかひとつに記載の食器洗い機。
【請求項５】
前記判定手段が判定した汚れの段階を表示する表示手段を備えることを特徴とする請求項１乃至４の何れかひとつに記載の食器洗い機。
【請求項６】
前記判定手段が判定した汚れの段階に基づいて、洗浄時間及びすすぎ時間を決定する決定手段を備えることを特徴とする請求項１乃至５の何れかひとつに記載の食器洗い機。
【請求項７】
前記判定手段は、前記算出手段が算出した比が、汚れの各段階に対応する予め設定された複数の比の範囲の何れに含まれているか判定するように構成されており、
前記複数の比の範囲の設定の変更を受付ける受付手段を備えることを特徴とする請求項４乃至６の何れかひとつに記載の食器洗い機。
【発明の詳細な説明】
【技術分野】
【０００１】
本発明は、洗浄槽内の水の汚れに応じた検出値を出力する検出手段と、該検出手段が出力した検出値に対応する汚れの段階を判定する判定手段とを備え、洗浄槽内に収容された食器の洗浄及びすすぎを行う食器洗い機に関する。
【背景技術】
【０００２】
食器洗い機は、洗浄槽内の底側に回転が可能なノズルを配し、該ノズルから噴射する水により、洗浄槽内に収容された食器を洗浄するように構成されている（例えば、特許文献１）。また、食器洗い機の中には、洗浄槽内の水の汚れの程度を検出する濁度センサを備えるものもある。濁度センサを備える場合、検出した汚れの程度に応じて、洗浄時間及びすすぎ時間などを決定することが可能になるため、食器の汚れ具合に応じた洗浄及びすすぎを行うことができる。多くの場合、濁度センサが検出した汚れの程度と予め設定されている閾値とを比較して汚れの段階（例えば“大”，“中”，“小”）を判定し、判定した汚れの段階に基づいて洗浄時間及びすすぎ時間などを決定している。
【特許文献１】実開平７−１６３５０２号公報
【発明の開示】
【発明が解決しようとする課題】
【０００３】
しかし、濁度センサが汚れの程度を検出する洗浄槽内の水は、例えば洗浄を開始する前は全く汚れていないというわけではなく、洗浄前であっても汚れがある場合が多い。また、洗浄前の水の汚れの程度は、使用環境などに応じて異なる。そのため、例えば洗浄前の水の汚れの程度が大きい場合は、食器の汚れが少ない場合であっても汚れの段階を大きめに判定するなど、洗浄開始後の汚れの段階を正しく判定できないことが生じるという問題がある。
【０００４】
本発明は斯かる事情に鑑みてなされたものであり、洗浄開始前に検出手段が出力した検出値を基準にして、洗浄開始後に検出手段が出力した検出値に対応する汚れの段階を判定するように構成したことにより、汚れの段階を正確に判定することができる食器洗い機を提供することを目的とする。
【０００５】
また、本発明は、検出手段として、発光手段と受光手段とを用い、受光手段の受光量に応じた検出値を出力するように構成したことにより、水の透過度、すなわち汚れに応じた検出値を出力することができる食器洗い機を提供することを他の目的とする。
【０００６】
また、本発明は、受光手段の受光量に応じた周波数のパルス信号を出力するパルス出力手段を検出手段に備え、さらにパルス信号の周波数を検出する周波数検出手段を備え、検出した周波数を検出値として用いることにより、検出値の精度を向上させることができる食器洗い機を提供することを他の目的とする。
【０００７】
また、本発明は、洗浄開始の前後で検出手段から出力された検出値の比を算出する算出手段を備え、算出した比に基づいて汚れの段階を判定するように構成したことにより、検出手段毎の出力のばらつきの影響を低減し、汚れの段階の判定を正確に行うことができる食器洗い機を提供することを他の目的とする。
【０００８】
また、本発明は、汚れの段階を表示する表示手段を備えることにより、使用者が食器の汚れ具合を確認することができる食器洗い機を提供することを他の目的とする。
【０００９】
また、本発明は、汚れの段階に基づいて、洗浄時間及びすすぎ時間を決定する決定手段を備えることにより、汚れの段階に応じて洗浄時間及びすすぎ時間を変更し、効率的な洗浄及びすすぎを行うことができる食器洗い機を提供することを他の目的とする。
【００１０】
また、本発明は、汚れの各段階に対応する予め設定された複数の比の範囲の設定の変更を受付ける受付手段を備えることにより、サービス員又は使用者が、汚れの各段階に対応する複数の比の範囲の設定を調整することができる食器洗い機を提供することを他の目的とする。
【課題を解決するための手段】
【００１１】
本発明に係る食器洗い機は、洗浄槽内の水の汚れに応じた検出値を出力する検出手段と、該検出手段が出力した検出値に対応する汚れの段階を判定する判定手段とを備え、洗浄槽内に収容された食器の洗浄及びすすぎを行う食器洗い機において、洗浄開始前に前記検出手段が出力した検出値を記憶する記憶部を備え、前記判定手段は、前記記憶部に記憶されている検出値を基準にして、洗浄開始後に前記検出手段が出力した検出値に対応する汚れの段階を判定するように構成してあることを特徴とする。
【００１２】
本発明に係る食器洗い機は、前記検出手段は、発光手段と、受光手段とを備え、該受光手段の受光量に応じた検出値を出力するように構成してあることを特徴とする。
【００１３】
本発明に係る食器洗い機は、前記検出手段は、前記受光手段の受光量に応じた周波数のパルス信号を出力するパルス出力手段を備えており、該パルス出力手段が出力したパルス信号の周波数を検出する周波数検出手段を備え、該周波数検出手段が検出した周波数を検出値として用いるように構成してあることを特徴とする。
【００１４】
本発明に係る食器洗い機は、前記記憶部に記憶されている検出値と洗浄開始後に前記検出手段が出力した検出値との比を算出する算出手段を備え、前記判定手段は、算出手段が算出した比に基づいて汚れの段階を判定するように構成してあることを特徴とする。
【００１５】
本発明に係る食器洗い機は、前記判定手段が判定した汚れの段階を表示する表示手段を備えることを特徴とする。
【００１６】
本発明に係る食器洗い機は、前記判定手段が判定した汚れの段階に基づいて、洗浄時間及びすすぎ時間を決定する決定手段を備えることを特徴とする。
【００１７】
本発明に係る食器洗い機は、前記判定手段は、前記算出手段が算出した比が、汚れの各段階に対応する予め設定された複数の比の範囲の何れに含まれているか判定するように構成されており、前記複数の比の範囲の設定の変更を受付ける受付手段を備えることを特徴とする。
【００１８】
本発明においては、給水完了時などの洗浄開始前に検出手段が出力した検出値を記憶部に記憶し、記憶部に記憶した検出値を基準にして、洗浄開始後に検出手段が出力した検出値に対応する汚れの段階を判定手段で判定する。例えば、洗浄開始前の水の汚れ（検出値）が大きい場合であっても、洗浄開始前の汚れを基準にして洗浄開始後の汚れの段階を判定するため、洗浄開始前の水の汚れの影響を受けずに、洗浄開始後の汚れの段階を正確に判定することができる。
【００１９】
本発明においては、検出手段は、発光手段と受光手段とを備え、受光手段の受光量に応じた検出値を出力する。受光量は、水の透過度が高い、すなわち汚れが少ないほど大きくなる。受光手段は、例えば受光量に応じた電圧（受光量が多い（汚れが少ない）ほど電圧は低い）を出力する。
【００２０】
本発明においては、検出手段のパルス出力手段から、受光手段の受光量に応じた周波数（受光量が大きい（水の汚れが少ない）ほど周波数は高い）のパルス信号を出力し、出力したパルス信号の周波数を周波数検出手段で検出し、検出した周波数を検出値として用いる。検出値として、例えば受光手段の受光量に応じた出力電圧を用いる場合は、マイクロコンピュータで処理する際に出力電圧をアナログ／デジタル変換して検出値を求めるが、検出値として上述した周波数を用いる場合は、パルス信号を所定時間カウントして検出値を求めるために変換誤差などは生じず、また周波数を高めて分解能を向上できるため、検出値として周波数を用いる方が精度が高い。
【００２１】
本発明においては、記憶部に記憶されている検出値（洗浄開始前に検出手段が出力した検出値）と洗浄開始後に検出手段が出力した検出値との比を算出手段で算出し、判定手段は算出した比に基づいて汚れの段階を判定する。例えば「記憶部に記憶されている検出値」÷「洗浄開始後に検出手段が出力した検出値」を算出する。検出手段には個体差があり、例えば同じ水の汚れを検出する場合であっても、出力される検出値が検出手段毎にばらつくことが多い。同一の検出手段から出力される２つ検出値の比を算出した場合、検出手段毎の検出値のばらつきの影響を低減することができる。
【００２２】
本発明においては、判定手段が判定した汚れの段階を表示手段に表示する。例えば、食器洗い機の操作パネルに含まれる表示パネルに汚れの段階を表示することが可能である。
【００２３】
本発明においては、判定手段が判定した汚れの段階に基づいて、洗浄時間及びすすぎ時間を決定手段が決定する。例えば汚れの段階が“小”，“中”，“大”の３段階で判定される場合、汚れの段階が“中”の場合と比較して、汚れの段階が“小”の場合は洗浄時間及びすすぎ時間を減少させ、汚れの段階が“大”の場合は洗浄時間及びすすぎ時間を増加させることが可能である。なお、すすぎ時間は、すすぎ回数の変更等によって増減させることも可能である。
【００２４】
本発明においては、算出手段が算出した比が、汚れの各段階に対応する予め設定された複数の比の範囲の何れに含まれているか判定手段で判定するが、前記複数の比の範囲の設定の変更を受付手段で受付ける。例えば、汚れの段階“小”の比の範囲がｃ１〜ｃ２、汚れの段階“中”の比の範囲がｃ２〜ｃ３、汚れの範囲“大”の比の範囲がｃ３〜ｃ４の場合（ただし、ｃ１＜ｃ２＜ｃ３＜ｃ４）、算出した比ｃがｃ２＜ｃ＜ｃ３を満たす場合、汚れの段階は“中”と判定される。また、受付手段は、例えば食器洗い機のメンテナンスを行うサービス員又は食器洗い機の使用者から設定の変更を受付けることが可能であり、例えばサービス員又は使用者は、汚れの落ち具合が悪い場合に前記ｃ２及びｃ３を小さくし、汚れの段階が“大”及び“中”の範囲を広くすることが可能である。
【発明の効果】
【００２５】
本発明によれば、洗浄開始前の水の汚れの影響を受けずに、汚れの段階を正確に判定することができる。
【００２６】
本発明によれば、水の透過度に応じた検出値を検出手段から出力することができる。
【００２７】
本発明によれば、検出手段が出力する検出値の精度を向上させることができる。
【００２８】
本発明によれば、検出手段毎の検出値のばらつきの影響を低減し、汚れの段階を正確に求めることができる。
【００２９】
本発明によれば、食器洗い機の使用者が、食器の汚れ具合を確認することができる。
【００３０】
本発明によれば、汚れの段階に応じて、洗浄時間及びすすぎ時間を変更し、食器の汚れに応じた効率的な洗浄及びすすぎを行うことができる。
【００３１】
本発明によれば、食器洗い機のメンテナンスを行うサービス員又は食器洗い機の使用者が、汚れの落ち具合などに基づいて、汚れの各段階に対応する複数の比の範囲の設定を調整することができる。
【発明を実施するための最良の形態】
【００３２】
以下、本発明をその実施の形態を示す図面に基づいて詳述する。図１は本発明の実施の形態に係る食器洗い機の正面から見た要部構成を示す模式図であり、図２は側面から見た要部構成を示す模式図である。本実施の形態に係る食器洗い機は、洗浄する食器２０を収納する洗浄槽２を筐体１の内部に設けており、洗浄槽２の内部には、食器２０が載せられる食器受具３と、食器受具３の下側に配置され、食器受具３に載せられた食器２０に向けて洗浄水を噴射する複数の回転可能なノズル４、４と、ノズル４、４に分配弁を介して加圧水を供給するポンプ５と、洗浄槽２内の洗浄水を加熱するヒータ６とを備えている。また、筐体１の正面下側には、ＬＣＤなどの表示手段及び押しボタンスイッチなどの入力手段を有する操作パネル２２が設けられている。
【００３３】
ノズル４、４には、洗浄水循環路７の一端が接続されており、洗浄水循環路７の他端は洗浄槽２の底部に設けられた排水口８に接続されている。ポンプ５は、洗浄水循環路７の途中に設けてあり、給水口９から注入、又は、ノズル４、４から噴射された洗浄水を、排水口８及び洗浄水循環路７を経て、ノズル４、４に供給する。給水口９からの給水／給水停止は、給水弁９ａの開／閉で切換える。給水弁９ａの開／閉は、後述する制御装置３０によって制御される。また、ノズル４、４は図示しないモータによって回転されるが、このモータの回転は制御装置３０によって制御される。
【００３４】
洗浄水循環路７の給水口８からポンプ５までの間には、洗浄水の汚れに応じた検出値（以下、汚れの程度という）を求めるための濁度センサ１０が取付けられている。濁度センサ１０は、洗浄水循環路７を挟んで対向するように配設された発光部（発光手段）１１と受光部（受光手段）１２とを有し、発光部１１から出射し、洗浄水循環路７の洗浄水を透過した光を受光部１２で受光する。濁度センサ１０は、後述する制御装置３０に接続され、発光部１１の発光は制御装置３０によって制御され、受光部１２の受光信号は制御装置３０に送られる。ただし、受光部１２は、受光量に応じた周波数（受光量が多い（汚れが少ない）ほど周波数は高い）のパルス信号を、受光信号として出力する。制御装置３０は、受光信号に基づいて、洗浄水の透過度、すなわち汚れの程度を検出する。
【００３５】
図３は、制御装置３０の構成を示すブロック図である。制御装置３０は、ＣＰＵ（中央処理装置）３１、ＲＯＭ（Read Only Memory）３２、ＲＡＭ（Random Access Memory）３３、時刻を計時するためのクロック３４及び入出力ポート３５等を備え、これらは互いに内部バス３６によって接続されている。入出力ポート３５には、濁度センサ１０、ノズル４、４を駆動するモータ、ポンプ５、ヒータ６、給水弁９ａ、操作パネル２２等が接続されている。制御装置３０のＣＰＵ３１は、ＲＡＭ３３をワーキングエリアとし、ＲＯＭ３２に格納されたプログラムを実行し、食器洗い機の上述した各構成部を制御する。
【００３６】
濁度センサ１０及び制御装置３０（ＣＰＵ３１）は、洗浄槽２内の洗浄水の汚れの程度（検出値）を求めてＲＡＭ３３に記憶（出力）する検出手段として動作する。制御装置３０のＣＰＵ３１は、受光部１２から送られた受光信号（パルス信号）の周波数を検出する周波数検出手段として動作し、検出した周波数を検出値（汚れの程度）としてＲＡＭ３３に記憶する。
【００３７】
また、制御装置３０のＣＰＵ３１は、検出した汚れの程度に対応する汚れの段階を判定する判定手段として動作する。また、制御装置３０のＲＡＭ３３は、給水完了時などの洗浄開始前に検出した汚れの程度を記憶する記憶部として動作し、ＣＰＵ３１は、ＲＡＭ３３に記憶した汚れの程度を基準にして、洗浄開始後に検出した汚れの程度に対応する汚れの段階を判定する。本実施の形態では、ＣＰＵ３１は、ＲＡＭ３３に記憶されている汚れの程度と、洗浄開始後に検出した汚れの程度との比を算出する算出手段として動作し、算出した比に基づいて汚れの段階を判定する。
【００３８】
以下、汚れの段階が、“小”，“中”，“大”の３段階の場合を例にして説明する。また、ＣＰＵ３１は、洗浄開始前に検出した汚れの程度ｆ０と、洗浄開始後に検出した汚れの程度ｆ１との比Δｆ（＝ｆ０÷ｆ１）を算出し、算出した比Δｆと、予めＲＯＭ３２に記憶されている閾値ｃ１、ｃ２（ただし、ｃ１＜ｃ２）との大小を比較し、Δｆ≦ｃ１の場合は汚れの段階“小”、ｃ１＜Δｆ≦ｃ２の場合は汚れの段階“中”、ｃ２＜Δｆの場合は汚れの段階“大”と判定する。なお、上述した閾値ｃ１，ｃ２はＲＯＭ３２に記憶されている。また、ＣＰＵ３１は、汚れの段階に基づいて、洗浄時間及びすすぎ時間（又はすすぎ回数）などのシーケンスを決定する決定手段として動作し、決定したシーケンスに基づいて、ノズル４、４を駆動するモータ、ポンプ５などを制御する。本実施の形態では、各汚れの段階における洗浄時間及びすすぎ回数の設定値がＲＯＭ３２に記憶されている。
【００３９】
図４及び５は、洗浄及びすすぎの処理手順の例を示すフローチャートである。制御装置３０（ＣＰＵ３１）は、給水弁９ａを制御して、給水を開始する（Ｓ１０）。制御装置３０に接続された図示しない水位センサの検出値がＲＯＭ３２に記憶されている規定水位に達した場合（Ｓ１２：ＹＥＳ）、制御装置３０は給水弁９ａを制御して給水を停止する（Ｓ１４）。停止後、制御装置３０（ＣＰＵ３１）は、濁度センサ１０（発光部１１）を制御して汚れの程度ｆ０を検出し、検出結果をＲＡＭ３３に記憶する（Ｓ１６）。汚れの程度ｆ０の検出は、例えば発光部１１を発光させ、受光部１２から送られてくる受光信号（パルス信号）の周波数を検出する。
【００４０】
次に、制御装置３０は、ポンプ５などを制御して、ノズル４から洗浄水の噴射を開始する（Ｓ１８）。開始からＲＯＭ３２に記憶されている所定時間経過後（Ｓ２０：ＹＥＳ）、制御装置３０（ＣＰＵ３１）は、ポンプ５などを制御して洗浄水の噴射を停止し（Ｓ２２）、濁度センサ１０（発光部１１）を制御して汚れの程度ｆ１を検出し、検出結果をＲＡＭ３３に記憶する（Ｓ２４）。汚れの程度ｆ１の検出はｆ０（Ｓ１６）と同様に行う。
【００４１】
制御装置３０のＣＰＵ３１は、ＲＡＭ３３に記憶してある汚れの程度ｆ０とｆ１との比Δｆ（＝ｆ０÷ｆ１）を算出して（Ｓ２６）、ＲＡＭ３３に記憶する。ＣＰＵ３１は、ＲＡＭ３３に記憶されている比ΔｆとＲＯＭ３２に記憶されている閾値ｃ１との大小を比較し、Δｆがｃ１より小さい場合（Ｓ２８：ＮＯ）、ＣＰＵ３１は、汚れの段階を“小”と判定し、汚れの段階が“小”であることを操作部２２に表示し、またＲＯＭ３２を照会して、洗浄時間を“最短洗浄時間（例えば５分）”、すすぎ回数を“最小回数（例えば３回）”に決定し（Ｓ３０）、決定内容をＲＡＭ３３に記憶し、ポンプ５などを制御して洗浄及びすすぎを行う。
【００４２】
Δｆがｃ１より大きい場合（Ｓ２８：ＹＥＳ）、ＣＰＵ３１は、ＲＡＭ３３に記憶されているΔｆとＲＯＭ３２に記憶されているｃ２との大小を比較する。Δｆがｃ２より小さい場合（Ｓ３２：ＮＯ）、ＣＰＵ３１は、汚れの段階を“中”と判定し、汚れの段階が“中”であることを操作部２２に表示し、またＲＯＭ３２を照会して、洗浄時間を“通常洗浄時間（例えば１０分）”、すすぎ回数を“通常回数（例えば４回）”に決定し（Ｓ３４）、決定内容をＲＡＭ３３に記憶し、ポンプ５などを制御して洗浄及びすすぎを行う。
【００４３】
Δｆがｃ２より大きい場合（Ｓ３２：ＹＥＳ）、ＣＰＵ３１は、汚れの段階を“大”と判定し、汚れの段階が“大”であることを操作部２２に表示し、またＲＯＭ３２を照会して、洗浄時間を“最長洗浄時間（例えば１５分）”、すすぎ回数を“最大回数（例えば５回）に決定し（Ｓ３６）、決定内容をＲＡＭ３３に記憶し、ポンプ５などを制御して洗浄及びすすぎを行う。
【００４４】
上述した実施の形態において、閾値ｃ１、ｃ２は任意の値に設定することが可能である。また、閾値ｃ１、ｃ２の変更を操作パネル（受付手段）２２で受付けることも可能である。例えば、制御装置３０にフラッシュメモリなどの不揮発性メモリを設け、不揮発性メモリに閾値ｃ１、ｃ２を記憶しておき、操作パネル２２が変更操作を受付けた場合、ＣＰＵ３１の制御により、不揮発性メモリに記憶されている閾値ｃ１、ｃ２を更新することが可能である。同様に、各汚れの段階における洗浄時間及びすすぎ回数の設定も任意であり、また、操作パネル２２で変更を受付けることも可能である。また、汚れの段階は、３段階に限定はされず、２段階又は４段階などの任意の段階にすることが可能である。
【００４５】
また、上述した実施の形態においては、受光部１２から受光量に応じたパルス信号（受光信号）を出力し制御装置３０のＣＰＵ３１で受光信号の周波数を検出したが、単に発光部１１を発光させ、受光部の受光量に応じた出力電圧を受光信号として出力し、汚れの程度を検出するなど、汚れの程度の検出方法は特に限定されず、任意の方法を用いることが可能である。受光信号として電圧を用いる場合、例えば最大出力が５Ｖの出力電圧を受光部１２から出力し、１２８ビットの分解能でアナログ／デジタル変換し、制御装置３０のＣＰＵ３１で検出値（汚れの程度）を求めることが可能である。ただし、検出値に例えば１ｋＨｚ前後の周波数を用いる方が、受光信号の所定時間内のパルス数をＣＰＵ３１でカウントすればよいので、変換誤差などは生じず分解能も高いため、精度が向上する。
【００４６】
また、上述した実施の形態においては、給水完了時などの洗浄開始前に検出した汚れの程度ｆ０と洗浄開始後に検出した汚れの程度ｆ１との比Δｆを算出し、比Δｆに基づいて汚れの段階を判定したが、洗浄開始前に検出した汚れの程度ｆ０を基準にできれば、比に限定はされず、例えば差Δｆ（＝ｆ０−ｆ１）を用いることも可能である。同一の濁度センサ１０から出力された２つの検出値の比又は差を算出することにより、濁度センサ１０毎の出力のばらつきの影響を低減し、汚れの段階を正確に判定することができる。
【図面の簡単な説明】
【００４７】
【図１】本発明の実施の形態に係る食器洗い機の正面から見た要部構成を示す模式図である。
【図２】食器洗い機の側面から見た要部構成を示す模式図である。
【図３】食器洗い機の制御装置の構成を示すブロック図である。
【図４】洗浄及びすすぎの処理手順の例を示すフローチャートである。
【図５】洗浄及びすすぎの処理手順の例を示すフローチャートである。
【符号の説明】
【００４８】
１  筐体
２  洗浄槽
４  ノズル
５  ポンプ
６  ヒータ
７  洗浄水循環路
９  給水口
９ａ  給水弁
１０  濁度センサ
１１  発光部
１２  受光部
２２  操作パネル
３０  制御装置
３１  ＣＰＵ
３２  ＲＯＭ
３３  ＲＡＭ
【図１】
2006075296.tif 000003
【図２】
2006075296.tif 000004
【図３】
2006075296.tif 000005
【図４】
2006075296.tif 000006
【図５】
2006075296.tif 000007